(57)【要約】【課題】時計外装内に無駄なスペースを有さず、高い受信性能および高い耐磁性能を持つ電波修正時計用アンテナを提供すること。【解決手段】強磁性体からなるアンテナコアに巻線を施した巻線部の長手方向の端部にアンテナコアの面積より広い面積を持つ拡張部を備える。この拡張部は、巻線部の一方の端面を含み、このアンテナコアの長手方向とほぼ直交する方向に延長する第１の仮想平面と、同じく巻線部の他方の端面を含みアンテナコアの長手方向とほぼ直交する方向に延長する第２の仮想平面とが対向する領域には設けない。また、拡張部は、文字盤側または裏蓋側から見たとき、時計外装の上部開口端面または下部開口端面とほぼ一致するか、時計外装の中心方向に端部を持つ。【選択図】図１
2008070246.tif 000002
【特許請求の範囲】
【請求項１】
時計外装の上面に上部外装開口部と下面に下部外装開口部とを有し、該上部外装開口部から閲覧可能なように時刻表示手段を設け、該下部外装開口部を覆うように裏蓋を設け、標準電波を受信して時刻情報を得る電波修正腕時計に備える電波修正腕時計用アンテナであって、
磁性体で構成する柱状のアンテナコアと、
該アンテナコアに巻回される巻線部と、
前記アンテナコアの長手方向の少なくとも一方の端部に、前記アンテナコアと同一体または前記アンテナコアと磁気的に結合している磁性体で構成する拡張部とを設け、
前記拡張部は、前記巻線部の一方の端面を含み前記アンテナコアの長手方向とほぼ直交する方向に延長する第１の仮想平面と、前記巻線部の他方の端面を含み前記アンテナコアの長手方向とほぼ直交する方向に延長する第２の仮想平面とが対向する領域にはなく、
前記拡張部の端面は、前記上部外装開口部の端部または前記下部外装開口部の端面とほぼ一致するか前記時計外装の中心方向に位置することを特徴とする電波修正腕時計用アンテナ。
【請求項２】
前記拡張部は、少なくとも３つの端面を有しており、
前記拡張部を前記上部外装開口部または前記下部外装開口部の方向から見たとき、それぞれの端面に対応する辺のうちの少なくとも１つの辺は、他の辺と異なる形状を有することを特徴とする請求項１に記載の電波修正時計用アンテナ。
【請求項３】
前記拡張部は、前記上部外装開口部または前記下部外装開口部の方向から見たとき、前記アンテナコアよりも大きな面積を持つことを特徴とする請求項１または２に記載の電波修正時計用アンテナ。
【発明の詳細な説明】
【技術分野】
【０００１】
本発明は、時刻情報を含む所定の電波を受信し、その情報に基づいて時刻を修正する機能を有する電波修正時計用アンテナに関し、特に腕時計型の電波修正時計用アンテナに関するものである。
【背景技術】
【０００２】
電波修正時計は、１００万年に１秒の精度を持つセシウム原子時計による時刻情報や日付情報を含む標準電波（例えば、４０ｋＨｚの電波）を内臓するアンテナで受信し、時刻の誤差を修正する機能を具備している時計である。このため、一ヶ月あたり２０秒程度の誤差が生じるクォーツ時計と比べて常時正確な時刻を表示することが可能であり、時刻修正の手間を省くことができるため、近年急速に普及しつつある。
【０００３】
電波修正時計において、受信性能を決めるのは、アンテナ特性と受信回路特性とである。
受信アンテナの種類としては、標準電波の波長が５ｋｍ前後と長く、腕時計内部において波長方向による共振を行うことが難しいため、強磁性体などで構成するコアに導線を巻き付けたコイル状のバーアンテナを用いるのが一般的である。このバーアンテナを透過する磁束によってコイルに起電力を得る。
【０００４】
受信回路は、アンテナの出力を元に時刻情報を検知し、時計用ムーヴメントに伝えるものである。時計用ムーヴメントとは、電池や時計動作に必要な計時回路などの回路要素を１ユニットにまとめた複合部品をいう。場合によっては、文字盤や液晶表示装置などの時刻表示手段も含むこともある。また、アンテナそのものを時計用ムーヴメントに組み込むこともある。
【０００５】
腕時計型の電波修正時計は、時計としての機能のほかに趣向品としての役割も持つことから、デザインや質感は重要である。特に時計としての高級感は重要な要素であり、時計本体の外装を金属で構成する金属外装が望まれている。
【０００６】
しかしながら、アンテナの出力は、金属外装に収納すると極端に低下してしまう。これは、金属外装表面で渦電流が生じ、標準電波が時計内部に入りにくくなること、アンテナに流れる電流によって発生する磁束が、金属外装表面で発生する渦電流による反磁束によって妨げられることとで、アンテナに流れる電流が妨げられるためである。
【０００７】
すなわち、腕時計型の電波修正時計は、金属外装が望まれているものの標準電波を受信しにくいという問題があった。そのため、金属外装でも受信可能な技術は多くの提案をみるものである。例えば、アンテナの形状を改良する技術である。アンテナの受信感度を向上させることによって、標準電波をより多く受信することができる。
腕時計型の電波修正時計は、すでに説明したとおりバーアンテナを用いる場合が多く、バーアンテナの磁性コアの形状を改良して受信感度を向上させる技術が知られている（例えば、特許文献１参照。）。
【０００８】
図４は、特許文献１に示した従来技術のアンテナを収納した電波修正時計を説明するための図であって、説明しやすいようにその主旨を逸脱しないように書き直したものである。
図４（ａ）は、時計を上面（例えば、風防ガラス方向）から見たときの平面図、図４（ｂ）は、時計を側面（例えば、３時または９時方向）から見たときの端面図である。
図４において、１０１は時計外装、１０２はアンテナコア、１０３はアンテナコア１０２の長手方向に巻回した巻線部、１０４はアンテナコア１０２の延長部、１０５はりゅうず、１０６はかん足、１１０は延長部１０４の拡張部、１１１は裏蓋である。巻線部１０３は、実際は細線が整然と巻回されているが、見やすくするために筒状に図示している。また、説明に必要がない部分は省略してある。
【０００９】
図４に示したように、特許文献１に示した従来技術は、アンテナコア１０２の延長部１０４に拡張部１１０を接続することでアンテナ全体の端部を広げて端部面積を増大している。このような構成とすることによって、時計外装１０１内に進入する標準電波をより多くアンテナコア１０２に導くことができるのである。
【００１０】
【特許文献１】特開２００４−２７４６０９号公報（第７頁、第６図）
【発明の開示】
【発明が解決しようとする課題】
【００１１】
特許文献１に示した従来技術は、時計外装１０１を金属外装とする場合も想定しており、拡張部１１０によってアンテナの端部面積を実質的に大きく取ることで、より多くの磁束をアンテナコア１０２に導くものである。しかしながら、発明者が検討したところによると、これらの構造では十分な感度を得られないことが分かった。
【００１２】
アンテナが大きくなることで一般的な傾向としてアンテナの出力が向上すること自体は望ましいのであるが、金属外装からなる腕時計の中でアンテナ端部が金属外装に近づきすぎる場合には、金属外装とアンテナとの間で渦電流損失が発生し、かえってアンテナゲインを損なう事態を招くことになる。このため、アンテナと金属外装とには適切な距離が必要である。
【００１３】
さらに、アンテナ内部においてもアンテナを構成する部材の渦電流や虚数透磁率に起因する損失が発生するため、むやみにアンテナを大型化すると磁束の収集能率よりもこれらの抵抗要因の影響が大きくなり、やはりかえってアンテナゲインを損なってしまう。
また、アンテナが大型化することでアンテナの自己インダクタンスが上昇すると、アンテナの自己共振周波数が低下してアンテナとして使用することの出来る帯域が狭くなってしまうのである。
すなわち、アンテナは、時計外装内部という限られたスペースであることも含めて、このような制約の中でそのサイズも自ずと決められることとなるのである。
【００１４】
ところで、一般的に腕時計は、裏蓋側から時計用ムーヴメントを挿入する形式になっている。このため、風防ガラス側に時計用ムーヴメントを固定または留めるための内延部を持つ。
また、多くの時計がベゼルを持ち、時計外装の風防ガラス側の端部は、その内側方向にせり出している。そのため、風防ガラス側の時計外装の開口部は、時計用ムーヴメントが収まる部分よりも狭くなっている場合がほとんどである。
【００１５】
先にも述べたように、磁束は金属からなる時計外装を貫くことができない。特許文献１に示した従来技術は、拡張部１１０の上部に庇のように時計外装１０１が覆いかぶさっている。図４（ａ）において、拡張部１１０が点線で示されている部分が時計外装１が平面的に覆いかぶさっている部分である。
そのため、時計用ムーヴメント内部またはその近傍に配置されたアンテナにおいて、風防ガラス側から見て時計外装の開口部よりも外側に配置されたアンテナ部分は、時計外装１の庇によって外部磁束の伝達を妨げられてしまい、アンテナコア１０２に対して有効に外部磁束を収集させることができない。つまり、無駄な部分なのである。
【００１６】
すなわち、特許文献１に示した従来技術は、アンテナの磁束収集能率を上げるために延長部１０４，拡張部１１０を設ける構造が開示されているものの、上述のような時計外装が外部磁束の妨げになることに関してなんらの対策も講じられておらず、そのアンテナ形状には無駄があるのである。
【００１７】
本発明の技術的な課題は、このような問題を解決し、むやみにアンテナを大型化することなく、外部磁束を収集するための適するアンテナ形状を提供するものであって、充分な標準電波の受信レベルを確保し得る電波修正時計用アンテナを提供することにある。
【課題を解決するための手段】
【００１８】
上記した目的を達するため、本発明の電波修正時計用アンテナは以下に記した構成を採用するものである。
【００１９】
時計外装の上面に上部外装開口部と下面に下部外装開口部とを有し、上部外装開口部から閲覧可能なように時刻表示手段を設け、下部外装開口部を覆うように裏蓋を設け、標準電波を受信して時刻情報を得る電波修正腕時計に備える電波修正腕時計用アンテナであって、
磁性体で構成する柱状のアンテナコアと、
アンテナコアに巻回される巻線部と、
アンテナコアの長手方向の少なくとも一方の端部に、アンテナコアと同一体またはアンテナコアと磁気的に結合している磁性体で構成する拡張部とを設け、
拡張部は、巻線部の一方の端面を含みアンテナコアの長手方向とほぼ直交する方向に延長する第１の仮想平面と、巻線部の他方の端面を含みアンテナコアの長手方向とほぼ直交する方向に延長する第２の仮想平面とが対向する領域にはなく、
拡張部の端面は、上部外装開口部の端部または下部外装開口部の端面とほぼ一致するか時計外装の中心方向に位置することを特徴とする。
【００２０】
拡張部は、少なくとも３つの端面を有しており、
拡張部を上部外装開口部または下部外装開口部の方向から見たとき、それぞれの端面に対応する辺のうちの少なくとも１つの辺は、他の辺と異なる形状を有することを特徴とする。
【００２１】
拡張部は、上部外装開口部または下部外装開口部の方向から見たとき、アンテナコアよりも大きな面積を持つことを特徴とする。
【発明の効果】
【００２２】
本発明の電波修正時計用アンテナは、アンテナ自体をむやみに大きくすることなく、適する形状のアンテナを構成することができる。このように構成されたアンテナは、アンテナ自体の感度が高く、損失を増大させることがない。したがって、電波修正時計の受信感度を向上させることができる。
【発明を実施するための最良の形態】
【００２３】
本発明の電波修正時計用アンテナは、アンテナコアの長手方向の少なくとも一方の端部に、このアンテナコアと同一体または磁気的に結合している磁性体で構成する拡張部を設けている。この拡張部は、アンテナの巻線部の一方の端面を含みこのアンテナコアの長手方向とほぼ直交する方向に延長する第１の仮想平面と、同じく巻線部の他方の端面を含みアンテナコアの長手方向とほぼ直交する方向に延長する第２の仮想平面とが対向する領域には設けない。さらに、拡張部の端部は、時計外装の風防ガラス側の上部外装開口部の端部または裏蓋側の下部外装開口部の端部とほぼ一致するか時計外装の中心方向に位置して
、これら時計外装の開口部の端部とアンテナの延長部とが平面的に重ならないようになっている。
【００２４】
このような構成とすることにより、特に金属外装にアンテナを収納した場合にも、高い感度を得られる電波修正時計を提供することが出来る。
【実施例１】
【００２５】
[アンテナの構造と配置の説明１：図１]
以下、図面を用いて本発明の電波修正時計用アンテナの第１の実施形態について説明する。図１は、本発明における電波修正時計用アンテナの形状を示す図であり、図１（ａ）は、時計を上面（例えば、風防ガラス方向）から見たときの平面図、図１（ｂ）は、時計を側面（例えば、３時方向）から見たときの端面図である。
【００２６】
図１において、１は時計外装、２は磁性体で構成するアンテナコア、３はアンテナコア２の長手方向に巻回された巻線部、４はアンテナコア３の拡張部、５は３時方向に設けているりゅうず、６は時計外装１と図示しない時計バンドとを結合するためのかん足、７は時計用ムーヴメント、１０は裏蓋である。
【００２７】
３１はアンテナコア２の長手方向の端部である巻線部３の一方の端面、３２は同様に巻線部３の他方の端面である。４１，４２，４３は拡張部４の端面である。５０は時計外装１の上面の上部開口端面、５５は時計外装１の内延部である。
【００２８】
点線Ａ１は、端面３１を含みアンテナコア２の長手方向とほぼ直交する方向に延長する第１の仮想平面を示し、同様に点線Ａ２は、端面３２を含みアンテナコア２の長手方向とほぼ直交する方向に延長する第２の仮想平面を示すものである。
記号ａは、点線Ａ１で示す第１の仮想平面と点線Ａ２で示す第２の仮想平面とが対向している領域を示すものであり、以後、領域ａと称する。
点線Ｂ１，Ｂ２は、上部開口端面５０を含む仮想線である。
【００２９】
時計外装１は、その内部方向に上部開口端面５０を有する内延部５５を有しており、この内延部５５によって時計用ムーヴメント７を固定している。
点線Ｂ１と点線Ｂ２との間の部分は、時計外装１における上面、つまり図示しない風防ガラス側の開口部であって、上部外装開口部と呼ぶ。
時刻表示手段（例えば、文字盤や液晶表示装置）は図示していないが、この上部外装開口部から閲覧可能なように設ける。その際は、もちろん、内延部５５によって時刻表示手段を固定してもよい。この時刻表示手段の固定にかかわる構造や方法は、すでに知られている腕時計で多くの提案がなされている。このため、説明は省略する。
【００３０】
巻線部３は、実際は細線が整然と巻回されているが、見やすくするために筒状に図示している。また、時計外装１内の説明に必要がない部分は省略して図示している。
【００３１】
本発明の電波修正時計用アンテナは、アンテナコア２と、このアンテナコア２と同一体またはアンテナコア２と磁気的に結合している拡張部４を有している。
アンテナコア２および拡張部４は、磁性体または強磁性体で構成されており、互いに磁気的に導通されている。
【００３２】
拡張部４は、図１に示す例では、端面４１，４２，４３を有している。図１（ａ）は、時計を上面から見たときの平面図であるから、拡張部４を構成するそれぞれ３つの端面は、それぞれ３つの辺に対応している。
端面４２，４３に対応する辺は直線であり、端面４１に対応する辺は円弧の形状を有し
ている。この２つの直線と１つの円弧によって拡張部４は、扇の形状を有している。
【００３３】
拡張部４は、第１の仮想平面と第２の仮想平面とが対向する領域ａにはない。つまり、図示しない風防ガラス側から見たとき、拡張部４は、点線Ａ１と点線Ａ２と平面的に重なっていないのである。
図１（ａ）に示す例では、拡張部４は点線Ａ１と点線Ａ２とは重なっておらず、端面４２，４３が点線Ａ１やＡ２から離間している。もちろん、端面４２，４３は、点線Ａ１または点線Ａ２とほぼ重なるようにしてもよい。大切なことは、拡張部４が領域ａにはないという点であって、拡張部４を構成する端面が点線Ａ１上または点線Ａ２上にあってもかまわないのである。
【００３４】
さらに、拡張部４の端面４１は、上部外装開口部を規定する点線Ｂ１と点線Ｂ２との間とほぼ一致するかその内側にある。つまり、図示しない風防ガラス側およびりゅうず５側から見たとき、内延部５５と端面４１とは、平面的に重なっていないのである。
【００３５】
拡張部４が領域ａに存在していると、その部分を経由してアンテナコア２に流入する磁束は、アンテナコア２に流入するためには時計外部からの進入方向に対して１８０度ターンしなければならないが、実際にはそのようなことはほとんど起こらないため、この領域ａに拡張部４があったとしてもアンテナコア２に外部磁束を導くのにほとんど寄与しないのである。
したがって、領域ａには拡張部４を設ける必要がないのである。本発明は、拡張部４の適する形状を提案するものであるから、アンテナとしての機能に必要がない部分は設ける必要がない。
【００３６】
時計外装１を金属で構成すると、磁束は風防ガラス側または裏蓋１０側（金属で構成していないとき）から進入する。拡張部４は、磁束が進入する方向に対して平面を向けることでより多くの磁束を捉え、アンテナコア２へ導くことができる。したがって、図１（ａ）に示すように、拡張部４は、アンテナコア２に比べてより大きい面積を有する。
【００３７】
拡張部４の厚さは、特に限定しないがアンテナコア２の厚さと同じにすることもできる。もちろん、時計は使用者が身に付けて使用することがあるため、落下などの予期せぬ衝撃が時計に加わることがある。そのため、拡張部４の強度も重要である。しかしながら、その重量増加や磁性体の追加に伴うコストアップなども考慮に入れる必要がある。したがって、拡張部４は、これらの要因を鑑みて適する厚さにすればよい。
【００３８】
既に説明したように上部外装開口部は、点線Ｂ１と点線Ｂ２とで規定されている。点線Ｂ１，Ｂ２は、内延部５５の上部開口端面５０を含んでいるから、上部外装開口部は、時計外装１と同一の材質で、その内側方向に最も突出する部分の端面で規定されるのである。例えば、ベゼルなどが内延部５５よりも時計外装１の内側にせり出しているときは、そのベゼルの端部によって上部外装開口部を規定するのである。
【００３９】
[アンテナの構造と配置の説明２：図２]
ところで、腕時計は趣向品としての性格を持つことから、時計の顔とも言うべき文字盤には質感を求める目的で金属部材が使われる場合も多い。電波修正時計も同様である。
そのような場合、時刻報知手段である文字盤側からの磁束の流入は著しく低下してしまうため、裏蓋１０をプラスチックなどの絶縁材で構成することで、裏蓋１０側から磁束を得ることが考えられる。
【００４０】
このように、時刻報知手段である文字盤に金属部材を用いた場合を説明する。図２は、時計を側面（例えば、３時方向）から見たときの端面図である。
図２において、１２は時刻報知手段であり、例えば、文字盤である。６０は時計外装１の下面の下部開口端面である。点線Ｃ１，Ｃ２は、下部開口端面６０を含む仮想線である。すでに説明した構成には同一の番号を付与している。
【００４１】
図２に示す時計外装１には、図１に示す例とは異なり、その裏蓋１０の方向に下部開口端面６０を有する内延部５５を有しており、この内延部５５によって裏蓋１０を固定している。
点線Ｃ１と点線Ｃ２との間の部分は、時計外装１における下面、つまり裏蓋１０側の開口部であって、下部外装開口部と呼ぶ。
裏蓋１０は、この下部外装開口部に嵌合するなどして設ける。その際は、内延部５５に接しており、防水用のパッキンなどを介する場合もある。この裏蓋１０の固定にかかわる構造や方法は、すでに知られている腕時計で多くの提案がなされている。このため、説明は省略する。
【００４２】
拡張部４の端面４１は、下部外装開口部を規定する点線Ｃ１と点線Ｃ２との間とほぼ一致するかその内側に設ける。つまり、裏蓋１０側およびりゅうず５側から見たとき、内延部５５と端面４１とは、平面的に重なっていないのである。
【００４３】
図１に示す例では、上部外装開口部は、点線Ｂ１と点線Ｂ２とで規定されているが、図２に示す例では、下部外装開口部は、点線Ｃ１と点線Ｃ２とで規定されている。図１に示す例と同様に、下部外装開口部は、時計外装１と同一の材質で、その内側方向に最も突出する部分の端面で規定されるのである。
【００４４】
以上の説明で明らかなように、図１または図２に示すような構成とすることで、本発明の電波修正時計用アンテナは、アンテナ形状に無駄がなく、損失を増大させることなく標準電波を受信するために必要な形状を有することで電波収修正時計の感度を向上させることができるのである。
【実施例２】
【００４５】
[拡張部の形状の説明：図３]
次に、本発明の電波修正時計用アンテナの第２の実施形態を説明する。拡張部４の形状は、第１の実施形態に示す形状に限られるものではなく、変更が可能である。図３は図１に示す例とは異なる形状を例示するものである。すでに説明した構成には同一の番号を付与している。なお、図３は、時計を上面から見たときの平面図である。
【００４６】
図３において、図３（ａ）は、時計外装１の中心近くに拡張部４を延ばしたものである。端面４１，４２，４３は、それぞれ異なる曲率ではあるが、すべて円弧の形状を有しており、端面４２の一部は点線Ａ１，Ａ２と平面的にほぼ重なっている。
時計外装１においてりゅうず５の位置が３時方向とすると、標準電波の到来による磁束の発生が、１２時−６時方向だけでなく時計外装１の中央付近でも得られ、磁束を効率よく集めることができるのである。
また、アンテナから放射される磁束のループの大部分が拡張部４を流れるため、ムーヴメント７などの内装部品の影響を受けにくくなり、内装部品の構成材料の選択の幅を広げることができる。
【００４７】
しかし、中心部付近は時計外装１などに遮蔽されることが少ないため、外部からの磁束が流入しやすいものの、アンテナコア２からの角度が急になるためにアンテナコア２に対する磁束の収集効率は必ずしも高くない。また、アンテナ自身が生成する磁路が閉ループに近づくため、アンテナの自己インダクタンスが上昇しやすく、そのためアンテナ本体の虚数透磁率や電気伝導率による損失の影響も上昇しやすくなる。
そのため、図３（ａ）に示す形状は、拡張部４を構成する磁性体の虚数透磁率と電気伝導率との両方が低くアンテナ本体の損失を抑えられ、かつ内装部品に金属部品の多い場合に有効である。
なお、虚数透磁率と電気伝導率の両方が低い材質として、例えばフェライトが挙げられる。
【００４８】
図３（ｂ）は、同じく時計外装１においてりゅうず５の位置が３時方向とすると、時計の１２時−６時付近に拡張部４を寄せた形状である。端面４１，４２，４３は、それぞれ異なる曲率ではあるが、すべて円弧の形状を有している。しかし、端面４２，４３は、点線Ａ１，Ａ２とはより離れるような形状である。
このような構成とすると、アンテナコア２の一方の端面３１と他方の端面３２とにそれぞれ設けている拡張部４同士の間隔が広くなるため、アンテナのインダクタンスが上昇しにくく、また、それによりアンテナを構成する磁性体からの損失が低下する。
【００４９】
しかし、時計外装１の中心付近からの磁束を収集することはできにくく、また、アンテナから放出される磁束が内装部品を貫通することでそれらの影響を受けやすくなるため、内装部品の構成材料はできるだけ金属を使用しないことが望ましい。
そのため、図３（ｂ）に示す形状は、拡張部４を構成する磁性体の虚数透磁率か電気伝導率のどちらかが高く、内装の大部分を絶縁体で構成する場合に有効である。
なお、透磁率が高いものの、電気伝導率が高い材質として、例えばアモルファスが挙げられる。
【００５０】
以上の説明で明らかなように、本発明の電波修正時計用アンテナを構成する拡張部４は、この拡張部４を領域ａに設けなければ、構成する材質にあわせてさまざまな形状とすることができる。これにより形状に無駄がなく、損失を増大させることないアンテナを構成することができる。
【産業上の利用可能性】
【００５１】
本発明の電波修正時計用アンテナは、時計外装内の限られたスペースであっても最も適した形状を有することができる。このため、腕時計のような小型の電波修正時計に好適である。
【図面の簡単な説明】
【００５２】
【図１】本発明の第１の実施形態におけるアンテナの構造を説明するための図である。
【図２】本発明の第１の実施形態におけるアンテナの端部と下部外装開口部との関係を説明する図である。
【図３】本発明の第２の実施形態におけるアンテナの構造を説明するための図である。
【図４】従来技術を説明するための図である。
【符号の説明】
【００５３】
１  時計外装
２  アンテナコア
３  巻線部
４  拡張部
５  りゅうず
６  かん足
７  ムーヴメント
１０  裏蓋
１２  文字盤
３１  巻線部３の一方の端面
３２  巻線部３の他方の端面
４１〜４３  拡張部４の端面
５０  上部開口端面
５５  内延部
６０  上部開口端面
【図１】
2008070246.tif 000003
【図２】
2008070246.tif 000004
【図３】
2008070246.tif 000005
【図４】
2008070246.tif 000006